(57)【要約】      （修正有）【課題】ヒンジプレートを形状簡素化し、締結ボルトの本数を削減し、所要な支持強度を確保して本体キャビネットに組み付けられる自動販売機の外扉ヒンジ装置を提供する。【解決手段】ヒンジピン支承部７ｂを本体キャビネットの外箱１から前方に突き出して外箱の天板内側にボルト１１で締結したヒンジプレート７と、外扉２の吊り元側コーナーに固着して前記ヒンジプレート７のヒンジピン支承部７ｂに枢支したヒンジピン８とからなる外扉のヒンジ装置６において、ヒンジプレート７の側縁に外箱１側壁に向けて凸形状の係合突起７ｄを形成し、ヒンジプレート７の取付位置で係合突起７ｄを外箱の側壁内面に布設したコルゲート構造になる補強板に係合支持するものとし、具体的には凸形状の係合突起７ｄを側壁補強板１０の凹部に差し込んでこの位置に係止保持して外扉２の繰り返し開閉動作に起因するヒンジプレート７のガタツキ，締結ボルト１１の緩み，脱落を防ぐ。【選択図】図１
2012083818.tif 000002
【特許請求の範囲】
【請求項１】
ヒンジピン支承部を本体キャビネットの開口部コーナーから前方に突き出して外箱の天板内側にボルト締結したヒンジプレートと、外扉の吊り元側コーナーに固定して前記ヒンジプレートのヒンジピン支承部に枢支したヒンジピンとからなる自動販売機の外扉ヒンジ装置において、
前記ヒンジプレートの側縁に本体キャビネットの外箱側壁に向けて凸形状の係合突起を形成し、ヒンジプレートの取付位置で前記係合突起を外箱の側壁内面に布設したコルゲート構造になる側壁補強板に係合支持したことを特徴とする自動販売機の外扉ヒンジ装置。
【請求項２】
請求項１に記載の外扉ヒンジ装置において、凸形状の係合突起を、コルゲート構造になる側壁補強板の凹部に差し込んで係合支持したことを特徴とする自動販売機の外扉ヒンジ装置。
【請求項３】
請求項１に記載の外扉ヒンジ装置において、凸形状の係合突起を、コルゲート構造になる側壁補強板の凸部頂面に穿設したスリット状溝穴に差し込んで係合支持したことを特徴とする自動販売機の外扉ヒンジ装置。
【発明の詳細な説明】
【技術分野】
【０００１】
本発明は、自動販売機の本体キャビネットに片開き式の外扉を開閉可能に支持するヒンジ装置に関する。
【背景技術】
【０００２】
周知のように、庫内に商品収納ラックを搭載した自動販売機の本体キャビネットにはその前面に片開き式の外扉を備えており、この外扉はその吊り元側がヒンジ装置を介して本体キャビネットの前部に開閉可能に枢着されている。
【０００３】
一方、外扉のヒンジ装置について、本体キャビネットに対する外観性，防盗性を高めるために、ヒンジ装置を本体キャビネットの外箱の内側に配置してキャビネットの外側に露出しないようにした構成が本発明の同一出願人より提案されており（特許文献１参照）、その組立構造を図８，図９に示す。
【０００４】
図８は自動販売機の全体図であり、１は本体キャビネットの外箱、２は外箱１の前面に配した片開き式の外扉、３は内扉、４は商品収納ラック、５は商品取出口である。ここで、外扉２はその吊り元側が詳細を後記するヒンジ装置を介して本体キャビネットの外箱１に開閉可能に枢支されており、外扉２の上端側に配したヒンジ装置（図中のＡ部）についてその組立構造を図９に示す。図９において、ヒンジ装置６は、本体キャビネットの外箱１に対してその天板の内面に固着したヒンジプレート７と、外扉２の吊り元側コーナーに取付けて前記ヒンジプレート７に枢支したヒンジピン８との組合せからなり、ヒンジプレート７，ヒンジピン８は本体キャビネットの外箱１，外扉２に対して次記のように固定されている。
【０００５】
すなわち、ヒンジプレート７は板厚の厚い鋼板の板金品で、その前端側にはヒンジピン８を枢支するピン挿通穴７ａが開口したヒンジピン支承部７ｂを形成し、またヒンジプレート７の後部側縁には下方に向けて延在するＬ字形の脚部７ｃを形成しており、ヒンジプレート７の後端２箇所，および脚部７ｃの先端にはボルト穴を穿孔している。
【０００６】
そして、このヒンジプレート７を本体キャビネットの外箱１に固定するには、外箱１の内壁面にスポット溶接して本体キャビネットの前面開口部近くに布設したコルゲート構造（コ字形断面形状の波形加工鋼板）の天板補強板９，側壁補強板１０（例えば、特許文献２参照）に前記ヒンジプレート７の後端部，脚部７ｃを図示のように重ね合わせた上で、ボルト１１により締結固定しており、この組立位置では前記ヒンジピン支承部７ｂが外箱１の前面コーナーから前方に突き出している。一方、ヒンジピン８は支持金具１２に植設し，この支持金具１２はボルト１３を介して外扉２の天板内側に固定されている。
【０００７】
上記構成のようにヒンジ装置６を本体キャビネットの外箱１の内側に配置することにより、外扉２を閉じた状態では、ヒンジプレート７，ヒンジピン８が外方に露呈することがなくて本体キャビネットの外観性，防盗性が向上する。
【０００８】
また、前記のヒンジ装置６では、ヒンジプレート７の側縁に下方に向けてＬ字形の脚部７ｃを延設し、この脚部７ｃを外箱１の側壁補強板１０にボルト締結して外扉２の繰り返し開閉動作に伴ってヒンジプレート７のガタツキ，ボルト１１の緩みを防ぐようにしている。すなわち、庫内の商品収納ラック４に商品を補充するなどで外扉２を開放位置に向けて勢いよく開くと、その全開終端位置で外扉２の側縁がヒンジプレート７の前端に形成したヒンジピン支承部７ｂに突き当たった後、その反動で閉方向に跳ね返るような挙動を示し、このためにヒンジプレート７にはボルト１１の締結部を固定支点として前後方向に衝撃的な偏荷重が加わる。したがって、仮に前記脚部７ｃを設けずに、ヒンジプレート７の後端を外箱１の天板補強板９に重ねて左右２本のボルト１１で締結しただけの構造では、外扉２の繰り返し開閉動作に伴って加わる前記の偏荷重により、ヒンジプレート７のボルト締結部にガタツキが生じて徐々にボルト１１が緩み、最悪の場合にはボルト１１が抜け落ちてヒンジプレート７が外れる虞がある。かかる点、前記のようにヒンジプレート７の側縁に脚部７ｃを延設して外箱１の側壁補強板１０にボルト１１で締結することにより、外扉２の繰り返し開閉動作に伴ってヒンジプレート７に加わる前後方向の偏荷重を脚部７ｃ，およびその締結ボルト１１を介して外箱１の側壁補強板１０で受け止め、ヒンジプレート７のガタツキ、ボルト１１の緩み，脱落を防ぐことができる。
【先行技術文献】
【特許文献】
【０００９】
【特許文献１】特開２００６−２３９２５号公報
【特許文献２】特開２００６−２９３４２３号公報
【発明の概要】
【発明が解決しようとする課題】
【００１０】
ところで、図９に示した従来のヒンジ装置６は、構造，組立面で次記のような課題がある。すなわち、板厚の厚い鋼板製のヒンジプレート７にＬ字形の脚部７ｃを形成するには板金曲げ加工工程が必要で加工コストが増すとともに、この脚部７ｃを本体キャビネットに締結するボルト１１が必要で組立部品点数も多くなる。また、脚部７ｃの板金曲げ加工精度にバラツキがあると、ヒンジプレート７を本体キャビネットにボルト締結する際に、脚部７ｃが側壁補強板１０の板面に正しく重なり合わず、そのために脚部７ｃと側壁補強板１０との間にライナーを挟むなどの調整作業を要して組立工程が煩雑となる。
【００１１】
本発明は上記の点に鑑みなされたものであり、その目的は、ヒンジプレートの形状簡素化と併せて締結ボルトの本数を削減しつつ、従来の組立構造と同等な支持強度を確保して本体キャビネットに安定よく固定保持できるように改良した自動販売機の外扉ヒンジ装置を提供することにある。
【課題を解決するための手段】
【００１２】
上記目的を達成するために、本発明によれば、ヒンジピン支承部を本体キャビネットの開口部コーナーから前方に突き出して外箱の天板内側にボルト締結したヒンジプレートと、外扉の吊り元側コーナーに固定して前記ヒンジプレートのヒンジピン支承部に枢支したヒンジピンとからなる自動販売機の外扉ヒンジ装置において、
前記ヒンジプレートの側縁に本体キャビネットの外箱側壁に向けて凸形状の係合突起を形成し、ヒンジプレートの取付位置で前記係合突起を外箱の側壁内面に布設したコルゲート構造になる側壁補強板に係合支持するものとし（請求項１）、具体的には次記の態様で係合突起を側壁補強板に係合支持する。
（１）前記構成において、凸形状の係合突起を、コルゲート構造になる側壁補強板の凹部に差し込んで係合支持する（請求項２）。
（２）前記構成において、凸形状の係合突起を、コルゲート構造になる側壁補強板の凸部頂面に穿設したスリット状溝穴に差し込んで係合支持する（請求項３）。
【発明の効果】
【００１３】
上記構成によれば、外扉の開放動作に伴ってヒンジプレートに加わる前後方向の偏荷重が、該ヒンジプレートの側縁に形成した凸形状の係合突起を介して外箱の側壁補強板により受け止められる。これにより、ヒンジプレートのガタツキ，締結ボルトの緩みを効果的に防止して外扉を長期安定して開閉可能に支持することができる。
【００１４】
しかも、このヒンジプレートは従来構造と比べて脚部（図９参照）が無く、これにより脚部形成のための板金曲げ加工、および脚部を外箱の側壁補強板に固定するボルトを省略できるほか、ヒンジプレートの組み付け工程では手間のかかる調整作業も必要なくてコストの低減化が図れる。
【図面の簡単な説明】
【００１５】
【図１】本発明の実施例１に係わるヒンジ装置の組立状態を斜め上方から見た透視斜視図である。
【図２】図１の平面図である。
【図３】図１の組立状態を斜め下方から見た斜視図である。
【図４】図１におけるヒンジ装置の分解斜視図である。
【図５】図４のヒンジ装置の組立状態を表す縦断側面図である。
【図６】本発明の実施例２に係わるヒンジ装置の組立状態を表す透視平面図である。
【図７】図６の組立状態を斜め下方から見た斜視図である。
【図８】本発明の実施対象となる自動販売機の扉開放状態を表す外観図である。
【図９】図８の自動販売機に装備した外扉ヒンジ装置の従来構造を表す分解斜視図である。
【発明を実施するための形態】
【００１６】
以下、本発明の実施の形態を図１〜図５、および図６，図７に示す実施例に基づいて説明する。なお、各実施例の図中で図９に対応する部材には同じ符号を付してその説明は省略する。
【実施例１】
【００１７】
先ず、本発明の請求項１，２に対応する外扉ヒンジ装置の構造を図１〜図５に示す。この実施例によるヒンジ装置６は、基本的に図９に示した従来のヒンジ装置と同様であるが、ヒンジプレート７についてはその形状，本体キャビネットへの取付け構造が次記のように変更されている。
【００１８】
すなわち、図示実施例のヒンジプレート７には図９の従来構造における脚部７ｃが形成されてなく、その代わりにプレート側縁には本体キャビネットの外箱１の側壁に向けて突き出た凸形状の係合突起７ｄが形成されている。
【００１９】
この係合突起７ｄは、ヒンジプレート７を本体キャビネットの外箱１の天板補強板９にボルト１１で締結する所定の取付位置で、外箱１の側壁内面に布設した断面コ字形形状のコルゲート構造になる側壁補強板１０の凸部と該凸部から外箱１の前面開口縁部に形成したフランジ１ａとの間に延在する側壁補強板１０の凹部１４（図２，図３参照）に嵌まり合うよう突出し高さ，横幅が設定されている。そして、本体キャビネットにヒンジプレート７を組み付ける際に、前記係合突起７ｄを図２の矢印のように前記凹部１４に差し込み係合した上で、ヒンジプレート７の後端部を２本のボルト１１で天板補強板９に締結固定する。
【００２０】
なお、図示実施例のヒンジ装置６においては、外扉２にヒンジピン８を固定する支持金具１２が図４，図５で示すように鋼板を断面Ｕ字形に折り曲げたボックス構造になり、その開口端面にヒンジプレート７のヒンジピン支承部７ｂを差し込んだ上で、支持金具１２の上方からヒンジピン８をヒンジピン支承部７ｂのピン挿通穴７ａに嵌挿して両者の間を回動可能に連結している。また、この支持金具１２は図５で示すようにボルト１３を介して外扉２の吊り元側に締結固定される。
【００２１】
上記したヒンジ装置６の組立構造により、本体キャビネットの外箱１の内面側にボルト１１で締結されたヒンジプレート７は、ボルト締結と同時にプレート側縁に形成した凸形状の係合突起７ｄが側壁補強板１０の凹部１４に嵌まり込んでこの位置に拘束保持される。これにより、図９のようにヒンジプレート７の脚部７ｃをボルト締結した従来構造と同等な支持強度を確保できる。すなわち、外扉２の開放動作に伴ってヒンジプレート７に加わる前後方向の偏荷重は前記係合突起７ｄを介して外箱１の内面に溶接接合したコルゲート構造の側壁補強板１０で受け止めることができ、これによりヒンジプレート７のガタツキ，締結ボルト１１の緩み発生を防止して外扉２を長期安定して開閉可能に支持することができる。
【００２２】
しかも、このヒンジプレート７は図９の従来構造と比べて脚部７ｃが無い形状であり、これにより脚部形成のための板金曲げ加工、および脚部を外箱の側壁補強板１０に締結するボルトを省略できるほか、ヒンジプレート７の組み付け作業も大幅に簡略化できる。
【実施例２】
【００２３】
次に、本発明の請求項３に係わる実施例２の組立構造を図６，図７に示す。すなわち、先記の実施例１においては、ヒンジプレート７の側縁に形成した凸状の係合突起７ｄをコ字形断面形状のコルゲート構造になる側壁補強板１０の凹部１４に差し込んで係合支持したのに対して、この実施例ではヒンジプレート７の側縁から突き出す係合突起７ｄの位置を若干後部側にずらして形成し、その組立位置では係合突起７ｄをコルゲート構造になる側壁補強板１０の凸部頂面に穿設したスリット状の係合溝１０ａ（図７参照）に差し込んで係止保持するようにしている。
【００２４】
この組立構造により前記係合突起７ｄが実施例１と同等な効果を発揮し、外扉２の開放動作に伴ってヒンジプレート７に加わる前後方向の偏荷重を側壁補強板１０が受け止めてヒンジプレート７のガタツキ，締結ボルト１１の緩みを防止することかできる。
【００２５】
なお、ヒンジプレート７の側縁に形成した係合突起７ｄを本体キャビネットに係合する支持構造については、先記実施例１，実施例２の構造に限定されるものではなく、例えば係合突起を前後二箇所に分けて二股形状に形成し、ヒンジプレート７を本体キャビネットにボルト締結した取付位置で、二股形状の係合突起で外箱１の内面に布設したコルゲート構造になる側壁補強板１０の断面コ字形の凸部を前後から挟んで係合支持するようにしてもよい。
【符号の説明】
【００２６】
１    本体キャビネットの外箱
２    外扉
６    ヒンジ装置
７    ヒンジプレート
７ａ  ピン挿通穴
７ｂ  ヒンジピン支承部
７ｄ  係合突起
８    ヒンジピン
９    天板補強板
１０    側壁補強板
１０ａ  スリット状溝穴
１１，１３    ボルト
１２    ヒンジピンの取付金具
１４    側壁補強板の凹部
【図１】
2012083818.tif 000003
【図２】
2012083818.tif 000004
【図３】
2012083818.tif 000005
【図４】
2012083818.tif 000006
【図５】
2012083818.tif 000007
【図６】
2012083818.tif 000008
【図７】
2012083818.tif 000009
【図８】
2012083818.tif 000010
【図９】
2012083818.tif 000011